(57)【要約】【課題】画像処理を行うに当たり、媒体に斜行、ジャム等を発生させることがなく、画像品位を向上させることができるようにする。【解決手段】装置本体に対して画像処理ユニットが着脱自在に配設されるようになっている。第１の搬送部材と、該第１の搬送部材と当接させて配設された第２の搬送部材と、前記第１の搬送部材の表面に付着した異物を除去する異物除去部とを有する。前記第１の搬送部材及び異物除去部は、前記画像処理ユニットの筐体によって支持される。この場合、前記紙粉除去部は、画像処理ユニットに配設されるので、画像処理ユニットを交換するのに伴って同時に交換される。したがって、操作者は、定期的に紙粉除去部を清掃したり、紙粉を除去したりする必要がない。【選択図】図１
2008056434.tif 000002
【特許請求の範囲】
【請求項１】
装置本体に対して画像処理ユニットが着脱自在に配設された画像処理装置において、
（ａ）第１の搬送部材と、
（ｂ）該第１の搬送部材と当接させて配設された第２の搬送部材と、
（ｃ）前記第１の搬送部材の表面に付着した異物を除去する異物除去部とを有するとともに、
（ｄ）前記第１の搬送部材及び異物除去部は、前記画像処理ユニットの筐体によって支持されることを特徴とする画像処理装置。
【請求項２】
前記第２の搬送部材は、第１の搬送部材と共に、前記筐体によって支持される請求項１に記載の画像処理装置。
【請求項３】
前記第１、第２の搬送部材は、回転自在に配設された第１、第２の搬送ローラである請求項１又は２に記載の画像処理装置。
【請求項４】
前記第１の搬送ローラは、前記筐体に形成された長孔によって移動自在に支持され、付勢部材によって前記筐体内から外方に向けて付勢される請求項３に記載の画像処理装置。
【請求項５】
前記異物除去部は、先端を前記第１の搬送ローラの外周面に向けて配設され、画像処理ユニットを装置本体から取り外したときに、先端が外周面に押し付けられる飛散防止部材を備える請求項３又は４に記載の画像処理装置。
【請求項６】
前記第１の搬送ローラは、シャフト部、及び該シャフト部に対して回転自在に配設され、樹脂によって形成されたローラ部を備える請求項３〜５のいずれか１項に記載の画像処理装置。
【請求項７】
装置本体に対して着脱自在に配設された画像処理ユニットにおいて、
（ａ）筐体と、
（ｂ）該筐体によって支持された第１の搬送部材と、
（ｃ）前記筐体によって支持され、前記第１の搬送部材の表面に付着した異物を除去する異物除去部とを有するとともに、
（ｄ）前記第１の搬送部材は第２の搬送部材と当接させて配設されることを特徴とする画像処理ユニット。
【発明の詳細な説明】
【技術分野】
【０００１】
本発明は、画像処理装置及び画像処理ユニットに関するものである。
【背景技術】
【０００２】
従来、プリンタ、複写機、ファクシミリ装置、複合機等の画像形成装置、又は、画像を読み取るスキャナ装置等の画像読取装置によって画像処理装置が構成され、該画像処理装置においては、画像を形成したり、画像を読み取ったりするための画像処理ユニットが配設されるようになっている。そして、前記画像処理装置には媒体としての用紙、原稿等を搬送するために各種のローラが配設される。
【０００３】
前記画像処理装置、例えば、プリンタにおいては、感光体ドラムの表面が、帯電ローラによって帯電させられ、ＬＥＤヘッドによって露光されて静電潜像が形成され、該静電潜像に現像ローラ上で薄層化されたトナーが静電的に付着させられてトナー像が形成される。そして、該トナー像は、転写ローラによって用紙に転写され、更に定着器によって用紙に定着させられ、画像の形成、すなわち、印刷が行われる。なお、転写後に感光体ドラムに残留したトナーはクリーニングブレードによって除去される。
【０００４】
ところで、前記プリンタにおいて、前記用紙は、給紙ローラによって給紙カセット等から供給され、レジストローラによってスキューが矯正された後、感光体ドラムと転写ローラとの間に送られるが、その際、用紙と給紙ローラ、レジストローラ等の各ローラとが擦れるので、紙粉が発生する。
【０００５】
該紙粉は、各ローラの搬送力を小さくし、用紙に斜行、ジャム等を発生させる原因となる。また、前記紙粉が感光体ドラムに付着すると、感光体ドラムにフィルミングが発生したり、クリーニングブレードのクリーニング不良が発生したりして、画像品位を低下させてしまう。
【０００６】
そこで、プリンタの各ローラと摺動させてスクレーパを配設し、該スクレーパによって紙粉を掻き取り、掻き取った紙粉を回収容器に回収するようにしたプリンタが提供されている（例えば、特許文献１参照。）。
【特許文献１】特開平８−７３０７２号公報
【発明の開示】
【発明が解決しようとする課題】
【０００７】
しかしながら、前記従来のプリンタにおいては、回収容器に溜まった紙粉を定期的に除去しなければならず、作業が煩わしい。また、紙粉を除去する際に紙粉が散乱することがあり、その場合、用紙に斜行、ジャム等を発生させ、その結果、画像品位を低下させてしまう。
【０００８】
本発明は、前記従来のプリンタの問題点を解決して、画像処理を行うに当たり、媒体に斜行、ジャム等を発生させることがなく、画像品位を向上させることができる画像処理装置及び画像処理ユニットを提供することを目的とする。
【課題を解決するための手段】
【０００９】
そのために、本発明の画像処理装置においては、装置本体に対して画像処理ユニットが着脱自在に配設されるようになっている。
【００１０】
そして、第１の搬送部材と、該第１の搬送部材と当接させて配設された第２の搬送部材と、前記第１の搬送部材の表面に付着した異物を除去する異物除去部とを有する。
【００１１】
また、前記第１の搬送部材及び異物除去部は、前記画像処理ユニットの筐体によって支持される。
【発明の効果】
【００１２】
本発明によれば、画像処理装置においては、装置本体に対して画像処理ユニットが着脱自在に配設されるようになっている。
【００１３】
そして、第１の搬送部材と、該第１の搬送部材と当接させて配設された第２の搬送部材と、前記第１の搬送部材の表面に付着した異物を除去する異物除去部とを有する。
【００１４】
また、前記第１の搬送部材及び異物除去部は、前記画像処理ユニットの筐体によって支持される。
【００１５】
この場合、前記異物除去部は、画像処理ユニットに配設されるので、画像処理ユニットを交換するのに伴って同時に交換される。したがって、操作者は、定期的に異物除去部を清掃したり、紙粉を除去したりする必要がない。
【００１６】
また、紙粉を除去する際に紙粉が散乱することがなくなるので、媒体に斜行、ジャム等を発生させるのを防止することができ、その結果、画像品位を向上させることができる。
【発明を実施するための最良の形態】
【００１７】
以下、本発明の実施の形態について図面を参照しながら詳細に説明する。この場合、画像処理装置としての、かつ、画像形成装置としてのプリンタについて説明する。
【００１８】
図２は本発明の第１の実施の形態におけるプリンタの概念図である。
【００１９】
図において、１０はプリンタ、２０は画像処理ユニットとしての、かつ、画像形成部としての画像形成ユニットである。該画像形成ユニット２０は、筐体としてのメインフレーム２９内に、像担持体としての感光体ドラム２１、該感光体ドラム２１の表面を一様に、かつ、均一に負の極性に帯電させる帯電装置としての帯電ローラ２２、前記感光体ドラム２１の表面に形成された潜像としての静電潜像を現像して現像剤像としてのトナー像を形成する現像器２４、クリーニング装置としてのクリーニングブレード３０等を備える。前記現像器２４は、現像剤としてのトナーを保持する現像剤担持体としての現像ローラ２５、該現像ローラ２５にトナーを供給する現像剤供給部材としてのトナー供給ローラ２６、トナーを収容する現像剤収容部としてのトナー収容部２７、先端を前記現像ローラ２５と当接させて配設された現像剤規制部材としての現像ブレード２８等を備える。前記トナー収容部２７に収容されたトナーは、現像器２４に移動し、矢印方向に回転するトナー供給ローラ２６によって、矢印方向に回転する現像ローラ２５にトナーを供給する。そして、現像ブレード２８は、現像ローラ２５上のトナーを薄層化する。
【００２０】
前記メインフレーム２９の上方には、前記感光体ドラム２１と対向させて露光装置としてのＬＥＤヘッド２３が配設され、該ＬＥＤヘッド２３によって感光体ドラム２１が露光され、感光体ドラム２１の表面に静電潜像が形成される。また、前記メインフレーム２９の下方には、前記感光体ドラム２１と対向させて転写装置としての転写ローラ３１が配設され、該転写ローラ３１によって感光体ドラム２１上のトナー像が媒体としての用紙Ｐに転写される。
【００２１】
また、前記プリンタ１０は、用紙Ｐを収容する媒体収容部としての給紙カセット１１を備える。前記用紙Ｐは、給紙ローラ１２及び分離フレーム１３によって１枚ずつ分離させて給紙された後、第１の媒体検出部としての給入センサ１４に到達する。該給入センサ１４によって検出された用紙Ｐは、レジストローラ１５及びプレッシャローラ１６によってスキューが矯正された後、更に搬送され、感光体ドラム２１と転写ローラ３１との間の転写部に送られる。そして、用紙Ｐの前端がレジストローラ１５及びプレッシャローラ１６と転写部との間に配設された第２の媒体検出部としての通過センサ１７に到達すると、画像形成ユニット２０がトナー像の形成を開始する。なお、本実施の形態においては、プリンタ１０の装置本体にレジストローラ１５を回転させるための駆動部としての図示されないレジストモータが配設され、該レジストモータを駆動することによって、レジストローラ１５を回転させ、プレッシャローラ１６を従動させて回転させることができるようになっている。
【００２２】
次に、前記構成のプリンタ１０の動作について説明する。
【００２３】
まず、矢印方向に回転させられる感光体ドラム２１の表面が帯電ローラ２２によって一様に、かつ、均一に負の極性に帯電させられる。この負の極性に帯電させられた部分がＬＥＤヘッド２３の下にくると、ＬＥＤヘッド２３が感光体ドラム２１を露光し、帯電させられた部分に画像データに基づく静電潜像を形成する。続いて、該静電潜像は、現像ローラ２５によって現像され、トナー像となる。
【００２４】
そして、該トナー像は転写ローラ３１によって用紙Ｐに転写され、転写後に感光体ドラム２１の表面に残留したトナーは、転写残現像剤としての転写残トナーとなり、クリーニングブレード３０によって除去される。一方、前記転写ローラ３１によって用紙Ｐ上に転写されたトナー像は、定着装置としての定着器３８に送られ、ヒートローラ３２及びバックアップローラ３３によって加熱され、加圧されて用紙Ｐに定着させられる。そして、トナー像が定着された用紙Ｐは、排出ローラ３５、３６によって排出スタッカ３７に排出される。このとき、定着器３８と排出ローラ３５との間に配設された第３の媒体検出部としての排出センサ３４によって用紙Ｐの排出が検出される。
【００２５】
なお、前記給紙ローラ１２、レジストローラ１５、プレッシャローラ１６、排出ローラ３５、３６等のローラによって搬送要素が構成され、各ローラは、所定の駆動源としての図示されない搬送用モータ（レジストローラ１５の場合はレジストモータ）を駆動することによって回転させられる。この場合、レジストローラ１５及びプレッシャローラ１６によって一対のローラが構成され、プレッシャローラ１６によって第１の搬送部材及び第１の搬送ローラが、レジストローラ１５によって第２の搬送部材及び第２の搬送ローラが構成される。なお、前記排出ローラ３５は一対のローラｒ１、ｒ２から成り、前記排出ローラ３６は一対のローラｒ３、ｒ４から成り、ローラｒ１、ｒ３によって第１の搬送部材及び第１の搬送ローラが、ローラｒ２、ｒ４によって第２の搬送部材及び第２の搬送ローラが構成される。また、本発明で使用されるプレッシャローラ１６は、金属製の円柱体の両端部を削り出し、シャフト部１６ａを形成することによって作成される。
【００２６】
ところで、プリンタ１０においては、用紙Ｐが搬送される際に、前記各ローラによって用紙Ｐが擦られるので、常に紙粉が発生してしまう。特に、感光体ドラム２１の手前に配設されたレジストローラ１５及びプレッシャローラ１６で発生する紙粉は、用紙Ｐに斜行、ジャム等を発生させたり、感光体ドラム２１にフィルミングを発生させたりしてしまう。そこで、本実施の形態においては、プレッシャローラ１６に付着した紙粉を除去するようにしている。
【００２７】
図１は本発明の第１の実施の形態における画像形成ユニットの斜視図、図３は本発明の第１の実施の形態における紙粉除去部の要部を示す斜視図、図４は本発明の第１の実施の形態における画像形成ユニットを装置本体に装着したときの紙粉除去部を示す図、図５は本発明の第１の実施の形態における画像形成ユニットを装置本体に装着したときの紙粉除去部の要部を示す拡大図、図６は本発明の第１の実施の形態における画像形成ユニットを装置本体から取り外したときの紙粉除去部を示す図、図７は本発明の第１の実施の形態における画像形成ユニットを装置本体から取り外したときの紙粉除去部の要部を示す拡大図である。
【００２８】
画像形成ユニット２０は、プリンタ１０（図２）の装置本体に対して着脱自在に配設され、画像形成ユニット２０の底部にプレッシャローラ１６が回転自在に配設される。また、該プレッシャローラ１６に対して摺動自在に、紙粉掻取部としての紙粉掻取フィルム４１が配設され、該紙粉掻取フィルム４１に隣接させて紙粉収容部としての紙粉格納フレーム４２が配設される。そして、メインフレーム２９に、プレッシャローラ１６に向けて、飛散防止部材としてのスポンジ４８が取り付けられる。前記紙粉掻取フィルム４１は、プレッシャローラ１６が回転するのに伴って、該プレッシャローラ１６の表面に対して摺動し、異物としての紙粉４７を掻き取り、前記紙粉格納フレーム４２に掻き取られた紙粉４７を収容する。なお、前記プレッシャローラ１６、紙粉掻取フィルム４１、紙粉格納フレーム４２及びスポンジ４８によって異物除去部としての紙粉除去部が構成される。
【００２９】
前記プレッシャローラ１６は、シャフト部１６ａを画像形成ユニット２０のメインフレーム２９に取り付けられたローラ支持部４４の孔部４４ａに挿入することによって上下方向に移動自在に装着される。該孔部４４ａは上下方向に延在させて形成された長孔から成り、シャフト部１６ａは孔部４４ａに沿って移動自在に配設される。そして、前記シャフト部１６ａには、付勢部材としてのコイルスプリング４６が当接させて配設され、該コイルスプリング４６はプレッシャローラ１６をレジストローラ１５側に向けて付勢する。なお、必要に応じてシャフト部１６ａを軸受けによって支持し、コイルスプリング４６を軸受けに当接させることができる。
【００３０】
前記画像形成ユニット２０を装置本体に装着すると、プレッシャローラ１６はレジストローラ１５と当接させられ、レジストローラ１５はコイルスプリング４６の付勢力に抗してプレッシャローラ１６をメインフレーム２９内に押し込む。これに伴って、図４及び５に示されるように、プレッシャローラ１６のシャフト部１６ａは孔部４４ａ内の中間位置に置かれる。
【００３１】
前記紙粉除去部においては、用紙Ｐを搬送するたびに紙粉４７が発生するが、発生した紙粉４７は、プレッシャローラ１６に摺接させて配設された紙粉掻取フィルム４１によって掻き落とされ、紙粉格納フレーム４２に収納されるので、用紙Ｐに斜行、ジャム等を発生させることがない。また、前記紙粉４７は、感光体ドラム２１側に移動することはないので、感光体ドラム２１の表面に付着してフィルミングを発生させるのを防止することができる。
【００３２】
一方、画像形成ユニット２０を装置本体から取り外すと、レジストローラ１５とプレッシャローラ１６とは互いに離れる。そして、プレッシャローラ１６は、コイルスプリング４６の付勢力によってメインフレーム２９の外に向けて押し出される。これに伴って、図６及び７に示されるように、プレッシャローラ１６のシャフト部１６ａは孔部４４ａ内の下端位置に置かれる。
【００３３】
また、このとき、メインフレーム２９にプレッシャローラ１６に向けて取り付けられたスポンジ４８の先端が、プレッシャローラ１６に押し付けられる。さらに、紙粉掻取フィルム４１がプレッシャローラ１６から離間することなく密着させられる。これにより、紙粉格納フレーム４２内がメインフレーム２９外と隔離されるので、紙粉格納フレーム４２内の紙粉４７が外部に飛散することがない。
【００３４】
前記紙粉除去部は、画像形成ユニット２０に配設されているので、画像形成ユニット２０を交換するのに伴って同時に交換される。したがって、操作者は、定期的にプレッシャローラ１６を清掃したり、紙粉格納フレーム４２内の紙粉４７を除去したりする必要がないので、作業を簡素化することができる。
【００３５】
また、紙粉４７を除去する際に紙粉４７が散乱することがなくなるので、用紙Ｐに斜行、ジャム等を発生させるのを防止することができ、その結果、画像品位を向上させることができる。
【００３６】
次に、本発明の第２の実施の形態について説明する。なお、第１の実施の形態と同じ構造を有するものについては、同じ符号を付与し、同じ構造を有することによる発明の効果については同実施の形態の効果を援用する。
【００３７】
図８は本発明の第２の実施の形態における画像形成ユニットの斜視図、図９は本発明の第２の実施の形態における紙粉除去部の要部を示す斜視図、図１０は本発明の第２の実施の形態における画像形成ユニットを装置本体に装着したときの紙粉除去部を示す図、図１１は本発明の第２の実施の形態における画像形成ユニットを装置本体に装着したときの紙粉除去部の要部を示す拡大図、図１２は本発明の第２の実施の形態における画像形成ユニットを装置本体から取り外したときの紙粉除去部を示す図、図１３は本発明の第２の実施の形態における画像形成ユニットを装置本体から取り外したときの紙粉除去部の要部を示す拡大図である。
【００３８】
この場合、画像処理ユニットとしての、かつ、画像形成部としての画像形成ユニット２０は、プリンタ１０（図２）の装置本体に対して着脱自在に配設され、画像形成ユニット２０の底部にレジストローラ１５及びプレッシャローラ１６が回転自在に配設される。また、該プレッシャローラ１６に対して摺動自在に、紙粉掻取部としての紙粉掻取フィルム４１が配設され、該紙粉掻取フィルム４１に隣接させて紙粉収容部としての紙粉格納フレーム４２が配設される。
【００３９】
前記プレッシャローラ１６は、シャフト部１６ａを筐体としてのメインフレーム２９に形成されたローラ支持部５４の孔部５４ａに挿入することによって上下方向に移動自在に装着され、前記レジストローラ１５は、シャフト部１５ａを前記孔部５４ａより下方に形成された孔部５４ｂに挿入することによって上下方向に移動自在に装着される。前記孔部５４ａ、５４ｂは上下方向に延在させて形成された長孔から成り、シャフト部１６ａ、１５ａは孔部５４ａ、５４ｂに沿って移動自在に配設される。
【００４０】
そして、前記シャフト部１６ａには付勢部材としてのコイルスプリング４６が配設され、該コイルスプリング４６は、プレッシャローラ１６をレジストローラ１５側に向けて付勢し、更に、レジストローラ１５を下方に向けて付勢する。また、装置本体側には、前記シャフト部１５ａと対向させて、付勢部材としてのコイルスプリング６１が配設され、該コイルスプリング６１の先端に取り付けられた軸受け６０によってシャフト部１５ａが回転自在に配設される。そして、前記コイルスプリング６１は、レジストローラ１５をプレッシャローラ１６側に向けて付勢し、更に、プレッシャローラ１６を上方に向けて付勢する。
【００４１】
前記画像形成ユニット２０を装置本体に装着すると、前記軸受け６０は、コイルスプリング６１の付勢力で、レジストローラ１５をプレッシャローラ１６と当接させ、コイルスプリング４６の付勢力に抗してプレッシャローラ１６をメインフレーム２９内に押し込む。これに伴って、図１０及び１１に示されるように、シャフト部１６ａ、１５ａは、孔部５４ａ、５４ｂ内の中間位置に置かれる。
【００４２】
前記画像形成ユニット２０をプリンタ１０に装着した場合、プレッシャローラ１６はコイルスプリング４６によってレジストローラ１５に押し付けられる。一方、レジストローラ１５はプリンタ１０側に配設された軸受け６０及びコイルスプリング６１によってプレッシャローラ１６に押し付けられる。
【００４３】
前記紙粉除去部においては、媒体としての用紙Ｐを搬送するたびに異物としての紙粉４７が発生する。そして、発生した紙粉４７はプレッシャローラ１６に摺接させて配設された紙粉掻取フィルム４１によって掻き落とされ、紙粉格納フレーム４２に収納されるので、前記紙粉４７が像担持体としての感光体ドラム２１等に侵入することはない。
【００４４】
一方、画像形成ユニット２０を装置本体から取り外すと、プレッシャローラ１６及びレジストローラ１５は接触したままで、レジストローラ１５と軸受け６０とが離れる。そして、プレッシャローラ１６は、コイルスプリング４６の付勢力によってメインフレーム２９外に向けて押し出される。これに伴って、図１２及び１３に示されるように、シャフト部１６ａ、１５ａは、孔部５４ａ、５４ｂ内の下端位置に置かれる。
【００４５】
また、このとき、メインフレーム２９にプレッシャローラ１６に向けて取り付けられた飛散防止部材としてのスポンジ４８の先端が、プレッシャローラ１６に押し付けられる。これにより、紙粉格納フレーム４２内がメインフレーム２９外と隔離されるので、紙粉格納フレーム４２内の紙粉４７が外部に飛散することがない。
【００４６】
また、プレッシャローラ１６のほかに、レジストローラ１５も画像形成ユニット２０に取り付けられているので、同時に交換することができる。これにより、レジストローラ１５を少なくとも画像形成ユニット２０と同じ寿命となる材料、例えば、耐摩耗性の低い材料によって形成することができるので、材質の選択幅が広がる。したがって、プリンタ１０のコストを低くすることができる。
【００４７】
次に、本発明の第３の実施の形態について説明する。なお、第１、第２の実施の形態と同じ構造を有するものについては、同じ符号を付与し、同じ構造を有することによる発明の効果については同実施の形態の効果を援用する。
【００４８】
図１４は本発明の第３の実施の形態における画像形成ユニットの斜視図である。
【００４９】
図に示されるように、プレッシャローラ１６は、画像形成ユニットとしての、かつ、画像形成部としての画像形成ユニット２０に取り付けられる軸としてのシャフト部１６ａ、及び紙粉掻取部としての紙粉掻取フィルム４１と摺接し、シャフト部１６ａに対して回転自在に配設されたローラ部１６ｂを備える。
【００５０】
前記シャフト部１６ａは、ローラ部１６ｂを回転させるための軸部であるので簡単な形状を有し、ローラ部１６ｂは、樹脂によってモールド成形され、シャフト部１６ａを中心に回転する。
【００５１】
このように、シャフト部１６ａ及びローラ部１６ｂは共にモールド成形によって容易に形成されるので、シャフト部とローラ部とを削り出して形成される部品よりプレッシャローラ１６のコストを低くすることができる。
【００５２】
なお、前記第１〜第３の実施の形態においては、プリンタ１０について説明しているが、本発明をプリンタ、複写機、ファクシミリ装置等の画像形成装置のほかに、スキャナ装置のように画像読取装置に適用することができる。本発明をスキャナ装置に適用した場合、画像処理ユニットとしての読取部がスキャナ装置の本体に対して着脱自在に配設される。
【００５３】
また、前記第１〜第３の実施の形態においては、像担持体としての感光体ドラム２１、現像器２４等を含む画像形成ユニット２０に、プレッシャローラ１６、紙粉掻取フィルム４１、紙粉収容部としての紙粉格納フレーム４２及び飛散防止部材としてのスポンジ４８から成る紙粉除去部を備えるようにしているが、現像器を画像形成ユニットの本体に対して着脱自在にした画像形成ユニットに紙粉除去部を備えることもできる。
【００５４】
なお、本発明は前記各実施の形態に限定されるものではなく、本発明の趣旨に基づいて種々変形させることが可能であり、それらを本発明の範囲から排除するものではない。
【図面の簡単な説明】
【００５５】
【図１】本発明の第１の実施の形態における画像形成ユニットの斜視図である。
【図２】本発明の第１の実施の形態におけるプリンタの概念図である。
【図３】本発明の第１の実施の形態における紙粉除去部の要部を示す斜視図である。
【図４】本発明の第１の実施の形態における画像形成ユニットを装置本体に装着したときの紙粉除去部を示す図である。
【図５】本発明の第１の実施の形態における画像形成ユニットを装置本体に装着したときの紙粉除去部の要部を示す拡大図である。
【図６】本発明の第１の実施の形態における画像形成ユニットを装置本体から取り外したときの紙粉除去部を示す図である。
【図７】本発明の第１の実施の形態における画像形成ユニットを装置本体から取り外したときの紙粉除去部の要部を示す拡大図である。
【図８】本発明の第２の実施の形態における画像形成ユニットの斜視図である。
【図９】本発明の第２の実施の形態における紙粉除去部の要部を示す斜視図である。
【図１０】本発明の第２の実施の形態における画像形成ユニットを装置本体に装着したときの紙粉除去部を示す図である。
【図１１】本発明の第２の実施の形態における画像形成ユニットを装置本体に装着したときの紙粉除去部の要部を示す拡大図である。
【図１２】本発明の第２の実施の形態における画像形成ユニットを装置本体から取り外したときの紙粉除去部を示す図である。
【図１３】本発明の第２の実施の形態における画像形成ユニットを装置本体から取り外したときの紙粉除去部の要部を示す拡大図である。
【図１４】本発明の第３の実施の形態における画像形成ユニットの斜視図である。
【符号の説明】
【００５６】
１０    プリンタ
１５    レジストローラ
１６    プレッシャローラ
１６ａ    シャフト部
１６ｂ    ローラ部
２０    画像形成ユニット
２９    メインフレーム
４１    紙粉掻取フィルム
４２    紙粉格納フレーム
４４ａ、５４ａ、５４ｂ    孔部
４６    コイルスプリング
４８    スポンジ
【図１】
2008056434.tif 000003
【図２】
2008056434.tif 000004
【図３】
2008056434.tif 000005
【図４】
2008056434.tif 000006
【図５】
2008056434.tif 000007
【図６】
2008056434.tif 000008
【図７】
2008056434.tif 000009
【図８】
2008056434.tif 000010
【図９】
2008056434.tif 000011
【図１０】
2008056434.tif 000012
【図１１】
2008056434.tif 000013
【図１２】
2008056434.tif 000014
【図１３】
2008056434.tif 000015
【図１４】
2008056434.tif 000016
【手続補正書】
【提出日】平成18年9月11日(2006.9.11)
【手続補正１】
【補正対象書類名】図面
【補正対象項目名】全図
【補正方法】変更
【補正の内容】
【図１】
2008056434.tif 000017
【図２】
2008056434.tif 000018
【図３】
2008056434.tif 000019
【図４】
2008056434.tif 000020
【図５】
2008056434.tif 000021
【図６】
2008056434.tif 000022
【図７】
2008056434.tif 000023
【図８】
2008056434.tif 000024
【図９】
2008056434.tif 000025
【図１０】
2008056434.tif 000026
【図１１】
2008056434.tif 000027
【図１２】
2008056434.tif 000028
【図１３】
2008056434.tif 000029
【図１４】
2008056434.tif 000030